(57)【要約】【課題】携帯型通信機を用いて、健康管理データを判定することによって異常時には自動的に特定の通信機やサーバ等へこの状況を送信する健康管理支援装置を提供することを目的とする。【解決手段】健康管理データ測定機７からの健康管理データを判定する健康管理データ判定機６を携帯型通信機である携帯電話１に接続して使用することにより健康管理データ判定手段６−１で健康管理データを異常と判定した場合は特定通信機接続手段６−２にあらかじめ設定された特定の通信機５に接続してこの状況を自動的に他に送信する。【選択図】  図１
2004152236.tif 000002
【特許請求の範囲】
【請求項１】
携帯型通信機と、前記携帯型通信機とは別の特定の通信機と、前記携帯型通信機に接続して前記特定の通信機に通信ネットワーク手段を介して健康管理データ判定結果を送信する別設の健康管理データ判定機と、前記健康管理データ判定機に接続された健康管理データ測定機から構成され、前記健康管理データ判定機は、前記健康管理データ測定機から入力される健康管理データを基に健康状態の判定を行う健康管理データ判定手段と、前記健康管理データ判定手段の結果に基づいて前記携帯型通信機を前記特定の通信機に接続する特定通信機接続手段と、前記特定の通信機に接続時に健康管理データ判定結果を前記特定の通信機に送信するデータ送信手段とから構成される健康管理支援装置。
【請求項２】
携帯型通信機は、携帯電話である請求項１記載の健康管理支援装置。
【請求項３】
健康管理データ判定手段は、その判定値を健康管理データ判定機で設定可能な構成とした請求項１または２に記載の健康管理支援装置。
【請求項４】
健康管理データ判定手段は、その判定値を携帯型通信機で設定可能な構成とした請求項１または２に記載の健康管理支援装置。
【請求項５】
特定通信機接続手段は、その接続先の設定値を健康管理データ判定機で設定可能な構成とした請求項１〜４のいずれか１項に記載の健康管理支援装置。
【請求項６】
特定通信機接続手段は、その接続先の設定値を携帯型通信機で設定可能な構成とした請求項１〜４のいずれか１項に記載の健康管理支援装置。
【請求項７】
携帯型通信機と、サーバと、前記携帯型通信機に接続して前記サーバに通信ネットワーク手段を介して健康管理データまたは健康管理データ判定結果の少なくとも一方を送信する別設の健康管理データ判定機と前記健康管理データ判定機に接続された健康管理データ測定機とから構成され、前記健康管理データ判定機は、前記健康管理データ測定機から入力される健康管理データを基に健康状態の判定を行う健康管理データ判定手段と、その健康管理データ判定手段の結果に基づいて前記携帯型通信機を前記サーバに接続するサーバ接続手段と、前記サーバに接続時に健康管理データまたは健康管理データ判定結果の少なくとも一方を前記サーバに送信するデータ送信手段とから構成される健康管理支援装置。
【請求項８】
携帯型通信機は、携帯電話である請求項７記載の健康管理支援装置。
【請求項９】
健康管理データ判定手段は、その判定値を健康管理データ判定機で設定可能な構成とした請求項７または８に記載の健康管理支援装置。
【請求項１０】
健康管理データ判定手段は、その判定値を携帯型通信機で設定可能な構成とした請求項７または８に記載の健康管理支援装置。
【請求項１１】
健康管理データ判定手段は、その判定値をサーバ接続時にサーバからのデータで設定可能な構成とした請求項７または８に記載の健康管理支援装置。
【請求項１２】
サーバ接続手段は、その接続先の設定値を健康管理データ判定機で設定可能な構成とした請求項７〜１１のいずれか１項に記載の健康管理支援装置。
【請求項１３】
サーバ接続手段は、その接続先の設定値を携帯型通信機で設定可能な構成とした請求項７〜１２のいずれか１項に記載の健康管理支援装置。
【請求項１４】
通信ネットワーク手段は、インターネットで構成した請求項１〜１３のいずれか１項に記載の健康管理支援装置。
【請求項１５】
健康管理データ測定機は、脈拍、心電、歩数のうち少なくとも一つの情報を測定する構成とした請求項１〜１４のいずれか１項に記載の健康管理支援装置。
【請求項１６】
健康管理データ判定機と前記健康管理データ判定機に接続された健康管理データ測定機は、その構成を一体とした請求項１〜１５のいずれか１項に記載の健康管理支援装置。
【発明の詳細な説明】
【０００１】
【発明の属する技術分野】
本発明は、健康管理データや健康管理データから健康状態を判定したその健康管理データ判定結果を健康管理データ判定機から特定の通信機やサーバに送信することにより、健康管理を支援する健康管理支援装置に関するものである。
【０００２】
【従来の技術】
従来のこの種の健康管理支援装置としては、歩数計機能を有する携帯電話機がある（例えば、特許文献１参照）。
【０００３】
【特許文献１】
特開２００１−２０３７８３公報（第３−４頁、第６図、第７図）
【０００４】
【発明が解決しようとする課題】
しかしながら、前記従来の構成は、携帯電話機に組み込まれた歩数計部で測定されたデータは基地局等を介して管理センタ内の電話端末やコンピュータと送信することができるが、定期的に送信を行う他は測定データの送信には使用者が意識して行う必要があった。つまり使用者の体調が変化し歩行が困難になった様な緊急の場合等の状況においても使用者は自らの意志で携帯電話をかける等をしてこの状況を他へ通報しなければならないという課題があった。
【０００５】
更に、歩数計機能等を携帯電話に内蔵する必要がある等、このような専用のデータ送信機（携帯電話機）を準備しなければならず機器が高価になるなどの課題があった。
【０００６】
本発明は、前記従来の課題を解決するもので、携帯電話等の通常の携帯型通信機を用いて、きわめて簡単な操作で健康管理データ測定機で測定した歩数データや脈拍等の健康管理データを判定することによって異常時には自動的に特定の通信機やサーバ等へこの状況を送信する健康管理支援装置を提供することを目的とする。
【０００７】
【課題を解決するための手段】
前記従来の課題を解決するために本発明の健康管理支援装置は、健康管理データ測定機からの健康管理データを判定する健康管理データ判定機を携帯型通信機に接続して使用することにより、少なくとも健康管理データ判定機の健康管理データ判定手段で健康管理データを異常と判定した場合は、特定通信機接続手段やサーバ接続手段にあらかじめ設定された特定の通信機や所定の外部機関のサーバに接続してこの状況を自動的に他に送信することが可能となり、急に健康状態に異常をきたした場合も自動的に他にこの状況を報知することができ、この様な状況にも適切な対応を取ることが実現できる。
【０００８】
【発明の実施の形態】
請求項１に記載の発明は、携帯型通信機と、前記携帯型通信機とは別の特定の通信機と、前記携帯型通信機に接続して前記特定の通信機に通信ネットワーク手段を介して健康管理データ判定結果を送信する別設の健康管理データ判定機と、前記健康管理データ判定機に接続された健康管理データ測定機から構成され、前記健康管理データ判定機は、前記健康管理データ測定機から入力される健康管理データを基に健康状態の判定を行う健康管理データ判定手段と、その健康管理データ判定手段の結果に基づいて前記携帯型通信機を前記特定の通信機に接続する特定通信機接続手段と、前記特定の通信機に接続時に健康管理データ判定結果を前記特定の通信機に送信するデータ送信するもので、健康管理データ判定手段で異常と判定されれば自動的に特定の通信機に接続し、この状況を報知することができる。従って、健康管理データ判定機と健康データ測定機と携帯型通信機を常に身につけて行動していれば、その使用者の健康状態が異常となり意識がなくなっても自動的にこの状況をあらかじめ設定した家族や所定の医療機関等の特定の通信機器へ報知でき、その後の迅速な処置も可能となる。
【０００９】
請求項２に記載の発明は、特に請求項１に記載の携帯型通信機を携帯電話とすることにより、一般の利用者が持ち歩いて利用することに慣れた機器を使用することで、機器操作への心理的ストレスを軽減できる。
【００１０】
請求項３に記載の発明は、特に請求項１または２に記載の健康管理データ判定手段の判定値を健康管理データ判定機で設定可能な構成とすることにより健康管理データの種類による設定及び変更が可能となり使い勝手の向上が図れる。
【００１１】
請求項４に記載の発明は、特に請求項１または２に記載の健康管理データ判定手段の判定値を携帯型通信機で設定可能な構成とすることにより健康管理データの種類による設定や変更が可能となり使い勝手の向上が図れる。また、携帯型通信機の既存のキー等の操作部が使用できる。
【００１２】
請求項５に記載の発明は、特に請求項１〜４のいずれか１項に記載の特定通信機接続手段の接続先の設定値を健康管理データ判定機で設定可能とすることにより特定の通信先を自ら選択することや変更することができる。
【００１３】
請求項６に記載の発明は、特に請求項１〜４のいずれか１項に記載の特定通信機接続手段の接続先の設定値を携帯型通信機で設定可能な構成とすることにより特定の通信先を自ら選択することや変更することができる。また、携帯型通信機の既存のキー等の操作部が使用できる。
【００１４】
請求項７に記載の発明は、携帯型通信機と、サーバと、前記携帯型通信機に接続して前記サーバに通信ネットワーク手段を介して健康管理データまたは健康管理データ判定結果の少なくとも一方を送信する別設の健康管理データ判定機とこの健康管理データ判定機に接続された健康管理データ測定機とから構成され、前記健康管理データ判定機は、前記健康管理データ測定機から入力される健康管理データを基に健康状態の判定を行う健康管理データ判定手段と、前記健康管理データ判定手段の結果に基づいて前記携帯型通信機を前記サーバに接続するサーバ接続手段と、前記サーバに接続時に健康管理データまたは健康管理データ判定結果の少なくとも一方を前記サーバに送信することで、健康管理データ判定手段で異常と判定されれば自動的に特定のサーバに接続し、この状況を報知することができる。従って、健康管理データ判定機と健康データ測定機と携帯型通信機を常に身につけて行動していれば、その使用者の健康状態が異常となり意識がなくなっても自動的にこの状況をあらかじめ設定した所定の医療機関等の特定のサーバへ報知でき、その後の迅速な処置も可能となる。
【００１５】
請求項８に記載の発明は、特に請求項７に記載の携帯型通信機を携帯電話、一般の利用者が持ち歩いて利用することに慣れた機器を使用することで、機器操作への心理的ストレスを軽減できる。
【００１６】
請求項９に記載の発明は、特に請求項７または８に記載の健康管理データ判定手段の判定値を健康管理データ判定機で変更可能な構成とすることにより健康管理データの種類による設定及び変更が可能となり使い勝手の向上が図れる。
【００１７】
請求項１０に記載の発明は、特に請求項７または８に記載の健康管理データ判定手段の判定値を携帯型通信機で変更可能な構成とすることにより健康管理データの種類による設定や変更が可能となり使い勝手の向上が図れる。また、携帯型通信機の既存のキー等の操作部が使用できる。
【００１８】
請求項１１に記載の発明は、特に請求項７または８に記載の健康管理データ判定手段の判定値をサーバ接続時にサーバからのデータで変更可能な構成とすることにより健康管理データの種類による設定や変更が可能となり使い勝手の向上が図れる。また、サーバが医療機関等の専門家によって管理されることが可能となり適切な判定値が設定できると共に、使用者が勝手に判定値を変更することがなく常に適切な判定が実現できる。
【００１９】
請求項１２に記載の発明は、特に請求項７〜１１のいずれか１項に記載のサーバ接続手段の接続先の設定値を健康管理データ判定機で変更可能な構成とすることにより所定の接続先を自ら選択することや変更することができる。
【００２０】
請求項１３に記載の発明は、通信ネットワーク手段を既存であるインターネットで構成することによって世界中どこの場所においても安価に高速にデータを送受信することを可能となる。
【００２１】
請求項１４に記載の発明は、特に請求項７〜１１のいずれか１項に記載のサーバ接続手段の接続先の設定値を携帯型通信機で変更可能な構成とすることにより特定の通信先を自ら選択することや変更することができる。また、携帯型通信機の既存のキー等の操作部が使用できる。
【００２２】
請求項１５に記載の発明は、健康管理データ測定機を脈拍、心電、歩数のうち少なくとも一つの情報を測定する構成とすることにより、脈拍や心電では心臓の動き、即ち心臓が規則正しく動いているか否か、また歩数では使用者が歩いているか否かがわかる。即ち、使用者の健康に著しい異常があるか否かという情報の把握が可能となり的確な判断が可能となる。また、多くの健康管理データを簡単な操作で特定の通信機や所定のサーバに送信でき、それに基づくアドバイスなどがきめ細かくできる。
【００２３】
請求項１６に記載の発明は、健康管理データ判定機とこの健康管理データ判定機に接続された健康管理データ測定機の構成を一体とすることにより小型化も可能となり持ち運びや操作が簡単となる。つまり可搬性に優れる。この種の装置は常に身につけて行動することが必要であるのでこのことは非常に重要である。
【００２４】
【実施例】
以下、本発明の実施例について図面を参照しながら説明する。
【００２５】
（実施例１）
図１は本発明の第１の実施例の構成を示す図である。
【００２６】
携帯型通信機としての携帯電話１と、特定の通信機５と、携帯電話１と特定の通信機５とを接続してデータ送受信をおこなうための通信ネットワーク手段３と、健康管理データ判定機６と、健康管理データ測定機７としての脈拍計７−１や歩数計７−２や心電計７−３等とから構成される。健康管理データ判定機６と携帯電話１及び健康管理データ判定機６と健康管理データ測定機７とは、それらを互いに電気的、機械的にケーブル８、９で接続されている。健康管理データ判定機６内には、健康管理データ測定機７である脈拍計７−１や歩数計７−２や心電計７−３等で測定し、ケーブル９を介して入力された健康管理データを基に健康状態の判定を行う健康管理データ判定手段６−１と、この健康管理データ判定手段６−１の結果に基づいて前記携帯電話１を特定の通信機５に接続する特定通信機接続手段６−２と、特定の通信機５に接続完了後に健康管理データ判定手段６−１の結果を送信するデータ送信手段６−３を設けている。
【００２７】
ここで、健康管理データ判定手段６−１は健康管理データ測定機７から入力される健康管理データに基づき、設定された判定値によって、例えば正常・異常の二つに判定し異常判定時には特定通信機接続手段６−２に対して接続の指示を出す。特定通信機接続手段６−２はこの指示に従いケーブル８で接続された携帯電話１を介してあらかじめ設定してある特定の通信機に接続し、接続時には健康管理データ判定手段６−１の判定結果（本実施例では異常）をデータ送信手段６−３より特定の通信機５へ送信する。このことによって異常を報知する。
【００２８】
次に、より具体的な説明を行う。健康管理データ測定機７である脈拍計７−１は使用者に装着されており（図示せず）常に脈拍という健康管理データを健康管理データ判定手段６−１へ入力している。あらかじめ健康管理データ判定手段６−１の判定値として脈拍の間隔が一定時間（例えば３秒）以上となった場合には異常と判定して特定通信機接続手段６−２に指示し、特定の通信機５と接続し、データ通信手段６−３を介して健康管理データ判定結果である「異常」を送信し、使用者の身体に異常が発生していることを報知する。健康管理データ測定機７が歩数計７−２である場合には、一定時間以上歩数カウントがない場合は使用者が歩行できないような異常状態であると判定する事ができる。
【００２９】
また、健康管理データ測定機７が心電７−３である場合には、脈拍計の例と同様な判定が可能である。またさらにその心電を波形的にとらえればさらに種種の判定が可能となる。また健康管理データをパターンとしてとらえれば別の指標もでき不整脈の検出も可能となる。さらに本実施例では健康管理データ判定手段６−１の判定値を正常と異常の２値で示したが、さらに「やや異常など」を追加して細分化することもできる。
【００３０】
また、健康管理データ判定手段６−１の判定値は健康管理データ判定機６に内蔵されたキー（図示せず）で設定を可能としている。従って例えば異常の検出感度をその時々の健康状態によって可変する事ができる。
【００３１】
また、この判定値の設定を携帯電話１のキー操作（図示せず）で行うこともできる。このことは健康管理データ判定機６に判定値の設定用のキー（図示せず）を内蔵することなく判定値の設定が可能となり、本装置の操作の簡単化や低価格での提供が可能となる。
【００３２】
また、特定通信機接続手段６−２の接続先の設定値は健康管理データ判定機６に内蔵されたキー（図示せず）で設定を可能としている。従って例えばその接続先を使用者の家族や医療機関等に使用者の選択で接続でき、その時々の健康状態によって接続先を変更する事ができる。
【００３３】
また、この設定値の設定を携帯電話１のキー操作（図示せず）で行うこともできる。このことは健康管理データ判定機６に接続先の設定値の設定用のキー（図示せず）を内蔵することなく設定値の設定が可能となり、本装置の操作の簡単化や低価格での提供が可能となる。
【００３４】
（実施例２）
図２は本発明の第２の実施例の構成を示す図である。
【００３５】
実施例１と異なるのは、特定の通信機をサーバとした点である。この構成において、健康管理データ判定機６と携帯電話１及び健康管理データ判定機６と健康管理データ測定機とは、互いに電気的、機械的にケーブル８、９接続されている。健康管理データ判定機６内には、健康管理データ測定機７である脈拍計７−１や歩数計７−２や心電計７−３等で測定しケーブル９を介して入力された健康管理データを基に健康状態の判定を行う健康管理データ判定手段６−１と、この健康管理データ判定手段６−１の結果に基づいて前記携帯電話１をサーバ４に接続するサーバ接続手段６−４と、サーバ４に接続完了後に健康管理データ判定手段６−１の結果を送信するデータ送信手段６−３を設けている。
【００３６】
ここで、健康管理データ判定手段６−１は健康管理データ測定機７から入力される健康管理データに基づき、設定された判定値によって例えば正常・異常の二つに判定し異常判定時にはサーバ接続手段６−４に対して接続の指示を出す。サーバ接続手段６−４はこの指示に従いケーブル８で接続された携帯電話１を介してあらかじめ設定してある所定のサーバに接続し、接続時には健康管理データ判定手段６−１の判定結果（本実施例では異常）や健康管理データをデータ送信手段６−３よりサーバ４へ送信する。このことによって異常やそのときの健康管理データを報知する。
【００３７】
次により具体的な説明を行う。健康管理データ測定機７である脈拍計７−１は使用者に装着されており（図示せず）常に脈拍という健康管理データを健康管理データ判定手段６−１へ入力している。あらかじめ健康管理データ判定手段６−１の判定値として脈拍の間隔が一定時間（例えば３秒）以上となった場合には異常と判定してサーバ接続手段６−４に指示し、所定のサーバ４と接続し、データ通信手段６−３を介して健康管理データ判定結果である「異常」やそのときの健康管理データを送信し、使用者の身体に異常が発生していることやそのときの健康状況を報知する。健康管理データ測定機７が歩数計７−２である場合には、一定時間以上歩数カウントがない場合は使用者が歩行できないような異常状態であると判定する事ができる。
【００３８】
また、健康管理データ測定機７が心電７−３である場合には、脈拍計の例と同様な判定が可能である。またさらにその心電を波形的にとらえればさらに種種の判定が可能となる。また健康管理データをパターンとしてとらえれば別の指標もでき不整脈の検出も可能となる。さらに本実施例では健康管理データ判定手段６−１の判定値を正常と異常の２値で示したが、さらに「やや異常など」を追加して細分化することもできる。また、健康管理データも同時に送信することができるから多くの情報からそのサーバの管理者である専門家はより一層適切な指示や対応が可能となる。
【００３９】
また、健康管理データ判定手段６−１の判定値は健康管理データ判定機６に内蔵されたキー（図示せず）で設定を可能としている。従って例えば異常の検出感度をその時々の健康状態によって可変する事ができる。
【００４０】
また、この判定値の設定を携帯電話１のキー操作（図示せず）で行うこともできる。このことは健康管理データ判定機６に判定値の設定用のキー（図示せず）を内蔵することなく判定値の設定が可能となり、本装置の操作の簡単化や低価格での提供が可能となる。さらに健康管理データ判定手段６−１の判定値はサーバからのデータで設定可能とすることにより専門家のみが判定値を設定することとなりより信頼性の高い判定が可能となる。
【００４１】
また、特定通信機接続手段６−２の接続先の設定値は健康管理データ判定機６に内蔵されたキー（図示せず）で設定を可能としている。従って例えばその接続先を使用者の家族や医療機関等に使用者の選択で接続でき、その時々の健康状態によって接続先を変更する事ができる。
【００４２】
また、この設定値の設定を携帯電話１のキー操作（図示せず）で行うこともできる。このことは健康管理データ判定機６に接続先の設定値の設定用のキー（図示せず）を内蔵することなく設定値の設定が可能となり、本装置の操作の簡単化や低価格での提供が可能となる。
【００４３】
（実施例３）
図３は本発明の第３の実施例の構成を示す図である。実施例１、２と異なるのは、健康管理データ判定機と健康管理データ測定機を一体化した構成を示したものである。図１及び２のケーブル９は健康管理データ判定機と健康管理データ測定機を構成するプリント配線板（図示せず）内での接続１０で対応することが可能となる。このことにより小型・軽量・低コスト化が可能となるとともに可搬性に非常に優れたものとなる。
【００４４】
また、通信ネットワーク手段３はインターネットで構成しており、世界中どこの場所においても安価に高速にデータを送受信することが可能となり、非常に便利である。
【００４５】
さらに、通常時の健康管理データや健康管理データ判定結果も特定の通信機や所定の外部機関のサーバに接続して送ることができるため日頃から使用者の健康状態を把握でき異常の予知も可能となり、それに対する準備も事前にできることとなる等、高齢化社会を迎えるにあたり非常に大きな効果を有する。
【００４６】
また、携帯電話を携帯型通信機器として使用することから接続先の特定の通信機や所定のサーバからの使用者への問い合わせも容易であり、異常報知時の確認も容易にできることになり、異常状況の十分な把握が可能となり、精度の高い最適な処置対応が可能となるという効果も有する。
【００４７】
また、通常の携帯電話やインターネット等、既存のインフラを活用する事ができ専用の携帯型通信機を用いる必要がないため健康管理装置全体を安価に構成できるという効果も有する。
【００４８】
【発明の効果】
以上のように、請求項１〜１６に記載の発明によれば、健康管理データ測定機からの健康管理データを判定する健康管理データ判定機を携帯型通信機に接続して使用することにより健康管理データ判定機が少なくとも健康管理データを異常と判定した場合は特定通信機接続手段やサーバ接続手段にあらかじめ設定された特定の通信機や所定の外部機関のサーバに接続してこの状況を自動的に他に送信することにより、急に健康状態に異常をきたした場合も自動的に他にこの状況を報知することができ、この様な状況にも適切な対応を取ることが実現できる。
【図面の簡単な説明】
【図１】本発明の第１の実施例における健康管理支援装置の構成図
【図２】本発明の第２の実施例における健康管理支援装置の構成図
【図３】本発明の第３の実施例における健康管理支援装置の構成図
【符号の説明】
１  携帯電話（携帯型通信機）
３  通信ネットワーク手段
４  サーバ
５  特定の通信機
６  健康管理データ判定機
６−１  健康管理データ判定手段
６−２  特定通信機接続手段
６−３  データ送信手段
６−４  サーバ接続手段
７  健康管理データ測定機
７−１  脈拍計（健康管理データ測定機）
７−２  歩数計（健康管理データ測定機）
７−３  心電計（健康管理データ測定機）
【図１】
2004152236.tif 000003
【図２】
2004152236.tif 000004
【図３】
2004152236.tif 000005